(57)【要約】【課題】簡単な作業で利用者に不快感を与えることなく、又止着位置を自由に選択できる留め具を提供すること。【解決手段】ケープＷの一辺の両端に留め具１の係止部材１０と被係止部材２０とを装着する。被係止部材２０には多数の横掛け部２２を長手方向に沿って形成する。係止部材１０には、いずれかの横掛け部２２に係止する爪部１３を配置する。ケープＷを利用者の首周りに巻きつけた後、ケープＷと首との間に隙間のないようにケープＷを絞り込んで留め具１を止着する。係止部材１０は、爪支持部１１とレバー部１６とを有し、作業内容に応じてレバー部１６を爪係止部１１に対して角度位置調整をする。【選択図】図２
2006320616.tif 000002
【特許請求の範囲】
【請求項１】
長尺方向に並設する複数の横掛け部を有する被係止手段と、前記横掛け部に係止可能な爪部を有する係止手段と、を備えたことを特徴とする留め具。
【請求項２】
前記被係止手段が、前記横掛け部を支持する支持部を前記横掛け部の両側に配置することを特徴とする請求項１記載の留め具。
【請求項３】
前記横掛け部が、１本の糸部材を前記支持部で順に折り返すことによって長尺方向に並設されることを特徴とする請求項２記載の留め具。
【請求項４】
前記横掛け部と前記支持部とは縫合して結合されることを特徴とする請求項２又は３記載の留め具。
【請求項５】
前記係止手段が、前記爪部を有する爪支持部と、前記爪支持部に対して角度変換可能なレバー部とを有して構成されることを特徴とする請求項１乃至４のいずれかに記載の留め具。
【請求項６】
前記爪支持部と前記レバー部とは、いずれか一方に配置される２本の突出ピン部が、他方に配置される位置決めピン部を挟持することによって、所定の角度に位置決めされることを特徴とする請求項５記載の留め具。
【請求項７】
着具の一辺における両端に、それぞれ長尺方向に並設する複数の横掛け部を有する被係止手段と、前記横掛け部に係止可能な爪部を有する係止手段と、を装着し、前記着具を、身体に巻き付けた後、前記爪部をいずれかの横掛け部に係止して、前記着具を身体に固着可能に構成することを特徴とする留め具。
【請求項８】
前記着具が、身体を覆うエプロン状着衣又は理美容用のケープ状着衣であることを特徴とする請求項７記載の留め具。
【請求項９】
前記着具が、身体の腰部を巻きつけるバンドであることを特徴とする請求項７記載の留め具。
【発明の詳細な説明】
【技術分野】
【０００１】
本発明は係止部材を被係止部材に係止する留め具に関し、特に、身体を覆う着衣に装着する留め位置調整可能な留め具に関する。
【背景技術】
【０００２】
例えば、理美容業界で使用するカットクロスケープやヘアダイクロスケープ、あるいは理髪業界で使用するケープ等の着衣（以下、ケープという）では、それぞれケープを身体に巻き付けるように覆った後、首周りで留める留め具には、マジックファスナー（登録商標名）や、ホック又は釦ファスナーが使用されていた。
【０００３】
従来のマジックファスナーは、対向するそれぞれの係合部に多数の突起部が形成され、それぞれの突起部を相手側の突起部間に挿入することによって容易に止着することができた。しかし、理美容業界では、マジックファスナーで身体を覆ったケープを留める作業は容易であるものの、主に、髪の毛を切るため、切断された髪の毛がマジックファスナーの突起部間に付着してしまう。そのため、短期間のうちに使用不可能となってケープを消耗品扱いにすることが多かった。
【０００４】
また、ホックや釦ファスナーでは、釦を留める際に、一方の手をケープ内に挿入して留めることから、釦の位置がわかりにくく、また利用者の身体に触れることとなって、利用者に不快感を与えていた。
【０００５】
そのため、マジックファスナーや釦ファスナー以外に、簡単な作業でケープを留めることができて、しかも利用者に不快感を与えないファスナーを提供することが望まれていた。
【０００６】
なお、理美容業界のケープに装着された留め具に関する特許文献は発見されていない。
【発明の開示】
【発明が解決しようとする課題】
【０００７】
上記のように、簡単な作業でケープを留めることができ、利用者に不快感を与えない新たな留め具を提供する場合、特にケープの場合では、人によって首周りが異なることから、留める位置を調整可能に構成しなければならない。しかも、調整範囲はできるだけ大きいことが望ましく、しかも、利用者に優しい留め具が望まれていた。
【課題を解決するための手段】
【０００８】
本発明は、上述の課題を解決するものであり、簡単な作業で利用者に不快感を与えることなく、しかも止着位置を自由に選択できる留め具を提供することを目的とする。
【０００９】
本発明に係る留め具は、上記の課題を解決するために、以下のように構成するものである。すなわち、
請求項１記載の発明では、長尺方向に並設する複数の横掛け部を有する被係止手段と、前記横掛け部に係止可能な爪部を有する係止手段と、を備えたことを特徴とするものである。
【００１０】
請求項２記載の発明では、前記被係止手段が、前記横掛け部を支持する支持部を前記横掛け部の両側に配置することを特徴としている。
【００１１】
請求項３記載の発明では、前記横掛け部が、１本の糸部材を前記支持部で順に折り返すことによって長尺方向に並設されることを特徴としている。
【００１２】
請求項４記載の発明では、前記横掛け部と前記支持部とは縫合して結合されることを特徴としている。
【００１３】
請求項５記載の発明では、前記係止手段が、前記爪部を有する爪支持部と、前記爪支持部に対して角度変換可能なレバー部とを有して構成されることを特徴としている。
【００１４】
請求項６記載の発明では、前記爪支持部と前記レバー部とは、いずれか一方に配置される２本の突出ピン部が、他方に配置される位置決めピン部を挟持することによって、所定の角度に位置決めされることを特徴としている。
【００１５】
請求項７記載の発明では、着具の一辺における両端に、それぞれ長尺方向に並設する複数の横掛け部を有する被係止手段と、前記横掛け部に係止可能な爪部を有する係止手段と、を装着し、前記着具を、身体に巻き付けた後、前記爪部をいずれかの横掛け部に係止して、前記着具を身体に固着可能に構成することを特徴とするものである。
【００１６】
請求項８記載の発明では、前記着具が、身体を覆うエプロン状着衣又は理美容用のケープ状着衣であることを特徴としている。
【００１７】
請求項９記載の発明では、前記着具が、身体の腹部を巻きつけるバンドであることを特徴としている。
【発明の効果】
【００１８】
請求項１記載の発明によれば、係止手段の爪部を、長手方向に沿って並設して形成された被係止手段の横掛け部のいずれかに係止する。この留め具が、例えば、身体を覆う着衣の一辺における両端部に装着されていれば、身体の大きさによって、係止する横掛け部を自由に選択することによって、その長さ方向の留め位置調整を可能とすることができる。しかも爪部を横掛け部に係止することは、容易に行なうことができる。
【００１９】
請求項２記載の発明によれば、請求項１の発明の横掛け部が両側で支持部に支持されていることから、支持部を、例えば、布部材で形成すれば、布部材を被装着部（例えば着衣）に縫合して取り付けることができる。従って被係止部材を短時間で廉価に製作することができる。
【００２０】
請求項３記載の発明によれば、前記横掛け部が１本の糸部材を支持部材で折り返しながら支持部材に装着すれば、被係止部材をさらに廉価でまた容易な作業で製作することができる。しかも複数の横掛け部を別々に１本ごと装着する場合と異なり、歯抜け状になることがない。
【００２１】
請求項４記載の発明によれば、横掛け部が支持部材に縫合して装着すれば、さらに容易な作業で被係止部材を製作できる。
【００２２】
請求項５記載の発明によれば、係止部材のレバー部を被係止部材の爪支持部に対して角度変換可能に構成すれば、レバー部のそれぞれの位置で好適な作業を行うことができる。例えば、留め具を着衣に装着した場合、身体に着衣を着た状態で作業する間と、留め具を脱着する作用に対して、レバー部をそれぞれ適した所定の角度位置に変換することができる。
【００２３】
請求項６記載の発明によれば、前記レバー部を、前記爪支持部に対して角度変換する際、前記爪支持部と前記レバー部とは、いずれか一方に形成された位置決めピン部を他方に形成された２本の突出ピン部間で挟持することによって位置決めするから、レバー部は、所定の角度位置で確実に位置決めされる。
【００２４】
請求項７〜９記載の発明では、例えば、エプロン状の着衣、理美容用のケープ上着衣や、身体の腹部を締め付けるバンド等の着具の両端部に、請求項１の発明における留め具を、それぞれ係止可能に装着する。身体の大きさに合わせて、爪部を複数並設された横掛け部のいずれかを選択して係止することによって、その長さ方向の調整を可能とすることができる。また、爪部を容易に横掛け部に係止することができる。しかも、理美容室においては、切断した髪の毛が係止部や被係止部に落下しても付着したままにならず、長期間の使用を維持することができる。
【発明を実施するための最良の形態】
【００２５】
次に本発明における留め具の一形態を図面に基づいて説明する。以下の説明においては、本発明における留め具を、理美容業界で使用されるケープに装着する形態で説明する。しかし、これに限定するものではなく、この留め具を好適に使用できる被装着物であればどれでもよい。
【００２６】
図１〜２は、ヘアサロンで髪を切る利用者にケープＷを巻き付けた状態を示すものであり、図３は、ケープＷを展開したものである。ケープＷの一辺における両端部Ｗ１、Ｗ２の一部には、一方に留め具１の係止部材１０が装着され、他方に留め具１の被係止部材２０が装着されている。
【００２７】
実施形態の留め具１は、爪部１３を有する係止部材１０と、梯子状に多数の横掛け部２２を有する被係止部材２０とから構成されている。係止部材１０は、図４〜５に示すように、ケープＷに装着する爪支持部１１と、爪支持部１１に対して角度位置変換可能なレバー部１６とを備えている。爪支持部１１とレバー部１６とは、レバー部１６に形成された支軸１８１を爪支持部１１に形成された軸孔１４１に嵌合することによって連結され、爪支持部１１に配置されたいずれかの２本の突出ピン部１５１間にレバー部１６に配置されている位置決めピン部１９１を係合することによって、レバー部１６の位置決めがされる。
【００２８】
つまり、爪支持部１１は、図６〜７に示すように、隙間１２１を間に上板１２２と下板１２３とを上下に配置してケープＷに装着する装着部１２と、下板１２３の下方に配置される爪部１３と、装着部１２の一端側に配置される連結部１４と、を備えている。上板１２２と下板１２３とは平板状に形成され、隙間１２１にケープＷを挿入した後、上板１２２と下板１２３とをケープＷに接着して爪支持部１１をケープＷに装着する。
【００２９】
爪部１３は、小判状に形成され、連結部１４から下板１２３との間に隙間を有して、下板１２３側に向かって突出するように配置されている。したがって、爪部１３は、下板１２３との間で被係止部材２０の横掛け部２２を掛止することになる。
【００３０】
連結部１４は、内部に軸孔１４１を有して円環状に形成され、一端が装着部１２側に一体的に連結されている。連結部１４の外周面には周方向に複数の突出ピン部１５１を直列に配置したピン支持帯１５を巻装している。突出ピン部１５１は、２本１セットにして、実施形態では３セット配置されている。そして、１セット２本の突出ピン部１５１、１５１間に後述のレバー部１６に設けられた位置決めピン部１９１を挟持できる間隔で、２本の突出ピン部１５１、１５１が配設されている。
【００３１】
レバー部１６は、図８〜９に示すように、略扇状に形成されたレバー本体１７と、レバー本体１７の両端から、それぞれ爪支持部１１側に向かって突出する脚部１８と、一対の脚部１８、１８間に配置されてレバー本体１７から突出して形成された位置決め部１９とを備えている。
【００３２】
脚部１８には、それぞれ内方に向かって突出する円柱状の支軸１８１、１８１が形成され、位置決め部１９には、両脚部１８、１８間に向かって延設する方向に棒状の位置決めピン部１９１が配置されている。なお、円柱状の支軸１８１は、図８に示すように、中央部から爪支持部１１側が広くなるような傾斜面に形成されていればよい。
【００３３】
そして、レバー部１６に形成された一対の支軸１８１、１８１を爪支持部１１の軸孔１４１の両側から挿入し、爪支持部１１のいずれかの２本の突出ピン部１５１、１５１間にレバー部１６の位置決めピン部１９１を係止することによって留め具１が組み付けられる。この際、レバー部１６のレバー本体１７は、実施形態においては、爪支持部１１に対して３段階の角度位置に選択的に設定される。
【００３４】
図５に示すレバー部１６の位置は、爪支持部１１に対して水平状に傾倒されているものであり、２本の突出ピン部１５１、１５１は、装着部１２と反対側（約１８０度）の位置にあるものを使用する。この位置では、レバー部１６が水平状に倒れていることから、手作業の邪魔にならず、例えば、留め具１をケープＷに装着した状態で髪の毛を切る作業中に好適である。
【００３５】
図１０に示すレバー部１６の位置は、爪支持部１１に対して直交する方向に傾倒されているものであり、２本の突出ピン部１５１、１５１は、装着部１２に対して９０度の位置にあるものを使用する。この位置では、留め具１の固定・脱着操作に好適である。
【００３６】
図１１に示すレバー部１６の位置は、爪支持部１１に対して、爪支持部１１側に傾倒されているものであり、２本の突出ピン部１５１、１５１は、装着部１２に対して約４５度の位置にあるものを使用する。この位置では、図１０と同様、留め具１の固定・脱着操作に好適である。図１０の示すレバー本体１７の位置と図１１に示すレバー本体１７の位置は、爪部１３に対する被係止部材２０の横掛け部２２の掛止位置によって選択されている。
【００３７】
一方、被係止部材２０は、図１２に示すように、長尺状に形成された一対の支持部２１、２１と、一対の支持部２１、２１間に配置される横掛け部２２とを備えて形成されている。実施形態の支持部２１は布製で形成され、実施形態の横掛け部２２は、プラスチック製で形成されている。
【００３８】
一対の支持部２１、２１は、被装着部材（例えば、ケープＷ）に縫合して装着される。横掛け部２２は、１本の糸状のプラスチック材を、両側に配置された支持部２１、２１に縫合して折り返し、長手方向に対して直交する方向に配置することによって形成される。この横掛け部２２を長手方向に沿って梯子状に順に配置すると被係止部材２０が形成される。
【００３９】
なお、支持部２１、横掛け部２２の材料は、特に限定するものではく、支持部２１の場合、被装着部材（例えば、ケープＷ）に縫合できるものであれば、布製だけでなく樹脂製であってもよい。また、横掛け部２２は、１本の糸状部材を折り返して使用することから、可撓性のある材料が望ましく、また爪部材１３に係止されることから所定の強度を有している材料であることが望ましい。従って、各段の横掛け部２２は、糸状部材の強度によって二重に形成してもよい。
【００４０】
次に、上記のように構成された留め具１を、理美容室のケープＷに装着して使用する作用について説明する。
【００４１】
まず、図３に示すように、ケープＷの一辺の両端に留め具１の、係止部材１０と被係止部材２０とをそれぞれ長手方向に沿って装着する。係止部材１０を装着する際、装着部１２における上板１２２と下板１２３との間の隙間１２１に、ケープＷを挿入して接着剤等で貼り付ける。被係止部材２０は、ケープＷに縫合することによって装着する。留め具１を装着したケープＷを利用者の身体に巻付け、図２又は図１３に示すように、係止部材１０の爪部１３を被係止部材２０の横掛け部２２に係止させて、首周りで止着する。この際、被係止部２０の横掛け部２２は、長手方向に多数配設されていることから、ケープＷが首との間に隙間のないように、巻付け、いずれかの横掛け部２２に爪部１３を引っ掛ける。
【００４２】
そして、髪を切る作業中には、図５に示すように、レバー本体１７を爪支持部１１に対して１８０度の位置になるように傾倒させる。すると、レバー部１６の位置決めピン部１９１が、レバー本体１７とともに支軸１８１を中心にして回転することとなり、爪支持部１１と略反対側に配置された爪支持部１１の２本の突出ピン部１５１、１５１間に嵌まり込んで、その位置で位置決めされる。これによって、留め具１を、髪を切る作業には邪魔にならないように配置することができる。
【００４３】
また、ケープを身体から取り外す際には、レバー本体１７を、爪支持部１１に対して、図１０〜１１に示すように、４５度あるいは９０度の位置に傾倒する。すると、レバー部１６の位置決めピン部１９１が、レバー本体１７とともに支軸１８１を中心にして回転することとなり、爪支持部１１と約４５度あるいは約９０度に配置された爪支持部１１の２本の突出ピン部１５１、１５１間に嵌まり込んで、その位置で位置決めされる。これによって、手でレバー本体を容易につかむことができ、係止部材１０を被係止部材２０から容易に脱着することができる。
【００４４】
上述のように、実施形態の留具は、係止部材１０の小判状の爪部１３を、多数配置した被係止部材２０の横掛け部２２に引っ掛けるように係止させるだけで容易に止着することができる。しかも長手方向に多数の横掛け部２２のいずれかに係止できることは、特にケープＷのような布状の被装着部材であれば、係止する位置を自由に選択できて首周りに隙間を有することなく止着することができる。しかも、極めて短時間に係止でき、利用者に不快感を与えることがない。さらに、切断した髪の毛を係止部材１０や被係止部材２０に落下したとしても、付着したままにならないことから、長期間の使用を維持することができる。
【００４５】
また、レバー部１６を爪支持部１１に対して、複数段に角度位置変換できることから、それぞれのレバー部１６の角度位置で好適な作業を行うことができる。
【００４６】
なお、本発明による留め具は、ケープだけでなく、止着位置を容易に調整できるもの、例えば、腰周りを締めるバンド又はスラックスやスカートにも有効に使用することができる。
【図面の簡単な説明】
【００４７】
【図１】本発明の一形態の留め具を装着したケープの使用状態を示す斜視図である。
【図２】ケープに装着した留め具の使用状態を示す正面図である。
【図３】両端部に留め具の係止部と被係止部を装着したケープの展開図である。
【図４】本発明の一形態による留め具の係止部を示す平面図である。
【図５】同正面断面図である。
【図６】図４における係止部材の爪支持部を示す平面図である。
【図７】同正面断面図である。
【図８】図４における係止部材のレバー部を示す平面図である。
【図９】同正面断面図である。
【図１０】留め具におけるレバー部の傾倒した状態を示す正面図である。
【図１１】留め具におけるレバー部の傾倒した状態を示す正面図である。
【図１２】被係止部材を示す平面図である。
【図１３】ケープに装着した留め具を止着する作用を示す斜視図である。
【符号の説明】
【００４８】
１、留め具
１０、係止部材
１１、爪支持部
１２、装着部
１３、爪部
１４、連結部
１５、ピン支持帯
１５１、突出ピン部
１６、レバー部
１７、レバー本体
１９１、位置決めピン部
２０、被係止部材
２１、支持部
２２、横掛け部
Ｗ、ケープ
【図１】
2006320616.tif 000003
【図２】
2006320616.tif 000004
【図３】
2006320616.tif 000005
【図４】
2006320616.tif 000006
【図５】
2006320616.tif 000007
【図６】
2006320616.tif 000008
【図７】
2006320616.tif 000009
【図８】
2006320616.tif 000010
【図９】
2006320616.tif 000011
【図１０】
2006320616.tif 000012
【図１１】
2006320616.tif 000013
【図１２】
2006320616.tif 000014
【図１３】
2006320616.tif 000015